(57)【要約】【課題】スピーカの発音の明瞭性と防塵性とを確保しながら薄型化が可能であるインターホン機器を提供する。【解決手段】本発明に係るインターホン親機１は、前面において後方に窪む窪み部３６を有する前ケース２と、前ケース２内における窪み部３６の後方に保持されるスピーカと、窪み部３６の前側に設けられるシート１８と、を備えている。窪み部３６には、ケーススピーカ孔３２，３２・・が形成されており、シート１８には、シートスピーカ孔２４，２４・・が形成されている。そして、ケーススピーカ孔３２，３２・・とシートスピーカ孔２４，２４・・とは、前方からみて互いに重ならないように配置されている。【選択図】図５
2019097074.tif 000002
【特許請求の範囲】
【請求項１】
前面において後方に窪む窪み部を有する本体ケースと、
前記本体ケース内における前記窪み部の後方に保持されるスピーカと、
前記窪み部の前側に設けられるシートと、
を備えており、
前記窪み部には、ケーススピーカ孔が形成されており、
前記シートには、シートスピーカ孔が形成されており、
前記ケーススピーカ孔と前記シートスピーカ孔とは、前方からみて互いに重ならないように配置されている
ことを特徴とするインターホン機器。
【請求項２】
前記ケーススピーカ孔及び前記シートスピーカ孔の少なくとも一方は、スリット状である
ことを特徴とする請求項１に記載のインターホン機器。
【請求項３】
前記窪み部は、その隣接部分から前記ケーススピーカ孔を囲む部分にかけて徐々に深くなる傾斜部を有している
ことを特徴とする請求項１又は請求項２に記載のインターホン機器。
【請求項４】
前記シートは、光源からの光を透過可能なランプ部を有している
ことを特徴とする請求項１ないし請求項３の何れかに記載のインターホン機器。
【発明の詳細な説明】
【技術分野】
【０００１】
本発明は、来訪者が居住者を呼び出すためのインターホン子機や、居室等に設置されるインターホン親機等のインターホン機器に関する。
【背景技術】
【０００２】
インターホンのスピーカ孔の構造として、特開２０１２−２０９６９３号公報（特許文献１）のものが知られている。
この構造では、前ケース２に設けられた正方形状の各スピーカ孔６に対し、所定の間隔を隔てた後方に、スピーカ孔６の形状に応じた背板１２が設けられる。各背板１２は、前ケース２の内面（後面）から後方に張り出す状態でスピーカ孔６を上下に跨ぐ門型のゲート部材１１から突設される。
【先行技術文献】
【特許文献】
【０００３】
【特許文献１】特開２０１２−２０９６９３号公報
【発明の概要】
【発明が解決しようとする課題】
【０００４】
かような構造では、前ケース２の後方に設置されたスピーカからの音は、ゲート部材１１や背板１２の隙間を通ってスピーカ孔６から出ることとなり、こもらず明瞭なものとなる。又、インターホンの前方からみた場合に、スピーカ孔６が背板１２で塞がれる状態となり、粉塵が入り難いようになっている。
しかし、かような構造では、各背板１２がスピーカ孔６から所定の間隔を隔てた後方に配置されるため、前ケース２のスピーカ孔６配置部分が前後に厚くなり、発音の明瞭性と防塵性とを確保しながらインターホンを薄型化することに所定の限界が存在する。
本発明の主な目的は、スピーカの発音の明瞭性と防塵性とを確保しながら薄型化が可能であるインターホン機器を提供することである。
【課題を解決するための手段】
【０００５】
上記目的を達成するために、請求項１に記載の発明は、前面において後方に窪む窪み部を有する本体ケースと、前記本体ケース内における前記窪み部の後方に保持されるスピーカと、前記窪み部の前側に設けられるシートと、を備えており、前記窪み部には、ケーススピーカ孔が形成されており、前記シートには、シートスピーカ孔が形成されており、前記ケーススピーカ孔と前記シートスピーカ孔とは、前方からみて互いに重ならないように配置されていることを特徴とするものである。
請求項２に記載の発明は、上記発明において、前記ケーススピーカ孔及び前記シートスピーカ孔の少なくとも一方は、スリット状であることを特徴とするものである。
請求項３に記載の発明は、上記発明において、前記窪み部は、その隣接部分から前記ケーススピーカ孔を囲む部分にかけて徐々に深くなる傾斜部を有していることを特徴とするものである。
請求項４に記載の発明は、上記発明において、前記シートは、光源からの光を透過可能なランプ部を有していることを特徴とするものである。
【発明の効果】
【０００６】
本発明の主な効果は、スピーカの発音の明瞭性と防塵性とを確保しながら薄型化が可能であるインターホン機器が提供されることである。
【図面の簡単な説明】
【０００７】
【図１】本発明に係るインターホン親機の正面図である。
【図２】図１のＡ−Ａ線断面図である。
【図３】図１における前ケース，スピーカ及びシートの後面側斜視図である。
【図４】図３の一部分解図である。
【図５】図１における前ケース及びシートの前面側斜視図である。
【図６】図２におけるスピーカないしその周辺の拡大図である。
【発明を実施するための形態】
【０００８】
以下、本発明に係る実施の形態やその変更例が、適宜図面を用いて説明される。
尚、前後上下左右は、説明の便宜上定めたものである。又、本発明は、以下の形態や変更例に限定されない。
【０００９】
図１は、本発明に係るインターホン機器の一例であるインターホン親機１の前面図であり、図２は、図１のＡ−Ａ線断面図である。
インターホン親機１は、中央に開口部を有する前ケース２、及び後ケース４を前後で組み合わせて成る合成樹脂製の本体ケース６と、前ケース２の前面周縁を覆う化粧パネル８と、本体ケース６の左隣へ取付可能とされたハンドセット１０と、前ケース２の開口部から露出した映像表示部１２と、化粧パネル８の下部から操作可能に露出した各種のボタン１４，１４と、本体ケース６内であって映像表示部１２の右側に配置されたスピーカ１６と、そのスピーカ１６の前方であって前ケース２の前面に配置された合成樹脂製のシート１８と、本体ケース６やハンドセット１０の後側や上下に隣接するように配置され、宅内壁面等のインターホン親機１の設置面と本体ケース６やハンドセット１０との間に介装される取付パネル２０と、ハンドセット１０や映像表示部１２、ボタン１４，１４、スピーカ１６等を制御するために本体ケース６内に配置された制御手段（図示略）と、を有する。
【００１０】
映像表示部１２は、インターホン親機１と接続されたインターホン子機（図示略）で撮像された映像等を表示する。
スピーカ１６は、円盤状であり、通話のため当該インターホン子機で取得された音声等を発生する。
シート１８は、各種のランプ部２２，２２と、上下に並べられたシートスピーカ孔２４，２４・・を有している。各ランプ部２２は、透光性の高いベースシートに対して、透光性の低いインクの印刷やフィルムのインサートを施すことにより、その後方の光源（例えばＬＥＤ）からの光を透過可能とすることで形成されている。各シートスピーカ孔２４は、左右に長いスリット状の透孔であり、シート１８の下部に設けられている。
【００１１】
図３は、前ケース２，スピーカ１６及びシート１８の後面側斜視図であり、図４は、図３の一部分解図であり、図５は、前ケース２及びシート１８の前面側斜視図であり、図６は、図２におけるスピーカ１６ないしその周辺の拡大図である。尚、図５において、シート１８の各ランプ部２２は省略されている。
前ケース２の内面（後面）の右部（後側からみると左部）には、スピーカ保持部３０が形成されている。スピーカ保持部３０は、前ケース２の後面から後方へ、左部の開放されたＣ字状に突出した、スピーカ１６の外形と同様な大きさを呈する外側リブを有している。その外側リブの右部３０ａは、薄型のスピーカ１６の肉厚と同様な高さとなっており、左上部３０ｂと左下部３０ｃとは、右部３０ａよりも高く（右部３０ａの２倍程度の高さと）なっている。又、当該外側リブの下部であって、右部３０ａと左下部３０ｃとの間には、右部３０ａより低くなるように凹ませた凹み部３０ｄが配置されている。凹み部３０ｄの内側において、スピーカ１６の配線（図示略）が通過可能である。更に、当該外側リブの内側には、右部３０ａより低い状態で後方に突出した（右部３０ａの高さの６分の１程度）、円形の内側リブ３０ｅが形成されている。
スピーカ保持部３０の内側には、横長のスリット状の透孔であるケーススピーカ孔３２，３２・・が、複数配置されている。ケーススピーカ孔３２，３２・・は、５列（うち４列は左右一対）配置されており、それらの間において、４筋の桟状部３３，３３・・が形成される。
スピーカ１６は、放音部を前方に向けた状態でスピーカ保持部３０の外側リブ内に入れられ、前ケース２と後ケース４とで挟まれることにより保持される。スピーカ１６前部の周縁は、内側リブ３０ｅに接する。
【００１２】
又、前ケース２の前面における開口部の右側には、その周囲の部分に対してシート１８の肉厚程度に窪む、シート１８と同様の大きさのシート配置部３４が配置されている。
シート配置部３４内であって、ケーススピーカ孔３２，３２・・の隣接位置には、更に後方に窪む前窪み部３６が配置されている。前窪み部３６は、スピーカ保持部３０内部あるいはその一部と同様に円あるいはその一部の形状を呈しておりケーススピーカ孔３２，３２・・を囲んでいる円状部３６ａと、円状部３６ａから離れた部分（前窪み部３６の左側隣接部分）から円状部３６ａまで徐々に深くなるように形成された傾斜部３６ｂと、を有している。傾斜部３６ｂは、複数（下３筋）の桟状部３３，３３・・を含むような上下幅を有するように形成されている。
【００１３】
シート配置部３４に対して接着されたシート１８の前面は、映像表示部１２の前面と面一となる。
又、シート１８における各シートスピーカ孔２４の隣接部分は、前窪み部３６により、桟状部３３，３３・・との間において空間を有するようになっている。
【００１４】
更に、各シートスピーカ孔２４は、対応する桟状部３３の前方に配置される。即ち、上のシートスピーカ孔２４は、上から２筋目の桟状部３３の前方に配置され、中央のシートスピーカ孔２４は、上から３筋目の桟状部３３の前方に配置され、下のシートスピーカ孔２４は、上から４筋目（下から１筋目）の桟状部３３の前方に配置される。
従って、ケーススピーカ孔３２，３２・・と、シートスピーカ孔２４，２４・・とは、前方（水平方向）からみて互いに重ならないものとなっている。換言すれば、ケーススピーカ孔３２，３２・・と、シートスピーカ孔２４，２４・・とは、互い違いとなるように配置され、ここでは上下方向において互いにずれるように配置されている。
【００１５】
以上のインターホン親機１は、前面において後方に窪む窪み部３６を有する本体ケース６と、本体ケース６内における窪み部３６の後方に保持されるスピーカ１６と、窪み部３６の前側に設けられるシート１８と、を備えており、窪み部３６には、ケーススピーカ孔３２，３２・・が形成されており、シート１８には、シートスピーカ孔２４，２４・・が形成されており、ケーススピーカ孔３２，３２・・とシートスピーカ孔２４，２４・・とは、前方からみて互いに重ならないように配置されている。
よって、スピーカ１６から出た音は、ケーススピーカ孔３２，３２・・から、窪み部３６による本体ケース６とシート１８との間の空間、ないしシートスピーカ孔２４，２４・・を経て外部に至り、スピーカ１６の放音部からシートスピーカ孔２４，２４・・まで密閉されず、又当該空間を通過することにより、外部に明瞭に届けられる。更に、ケーススピーカ孔３２，３２・・とシートスピーカ孔２４，２４・・とが互い違いとなっているため、粉塵が入り難くなっており、又インターホン親機１を前側からみた場合にその内部が視認し難く、すっきりとしたデザインが確保される。加えて、本体ケース６の前面側において空間が設けられるため、スピーカ保持部３０内のケーススピーカ孔３２，３２・・の後側において、後方に突出する部分や音質音量確保のための大空間を確保する必要がなく、スピーカ保持部３０における低い内側リブ３０ｅの設置程度で済み、スピーカ１６をケーススピーカ孔３２，３２・・の後側に接触させあるいは近接させて配置することができ、スピーカ１６の配置部分ひいては本体ケース６を薄型化することができる。
尚、「前方からみて」とは、かような作用効果（特に防塵性）が発揮されれば良いことから、厳密に水平方向からみたものに限定されず、例えば水平方向から上下各１５°程度の範囲内で斜方からみたものであっても良い。
【００１６】
又、ケーススピーカ孔３２，３２・・及びシートスピーカ孔２４，２４・・は、何れもスリット状である。よって、ケーススピーカ孔３２，３２・・とシートスピーカ孔２４，２４・・とが同様な方向に配置されること等により、これらの互い違いの配置が容易になされる。
更に、窪み部３６は、その隣接部分からケーススピーカ孔３２を囲む部分である円状部３６ａまでにおいて徐々に深くなる傾斜部３６ｂを有している。よって、本体ケース６（前ケース２）のケーススピーカ孔３２周辺部が短時間で確実に成形される。
加えて、シート１８は、光源からの光を透過可能なランプ部２２，２２を有している。よって、シート１８は複数の機能を担うこととなり、インターホン親機１がより一層コンパクト化する。
【００１７】
尚、本発明の形態は、上述のものに限られず、例えば適宜次のように変更することが可能である。
窪み部３６や傾斜部３６ｂ、ケーススピーカ孔３２，３２・・、桟状部３３，３３・・、本体ケース６、化粧パネル８、ハンドセット１０、映像表示部１２、ボタン１４、スピーカ１６、シート１８、取付パネル２０、ランプ部２２，２２、シートスピーカ孔２４，２４・・、スピーカ保持部３０の外側リブや内側リブ３０ｅのうちの少なくとも何れかの形状や大きさ、配置、設置の有無や設置数、材質等は様々に変更することができる。スピーカ保持部３０の内側リブ３０ｅや外側リブの右部３０ａ，左上部３０ｂ，左下部３０ｃ、窪んだシート配置部３４等のうちの少なくとも何れかは、更に高く（深く）あるいは低く（浅く）されても良いし、省略されても良い。
本体ケース６は、前ケース２と後ケース４との組合せに限られず、上ケース及び下ケースとされたり、一体箱状とされたり、更に分割されたりしても良い。
シート１８の本体ケース６への設置は、接着に限られず、一方に設けられた爪（係止部）の他方に設けられた孔（被係止部）への係止やネジ止め（係止具による係止）等であっても良い。スピーカ１６の本体ケース６への設置についても、外側リブによる保持に限られず、接着や、上述のシート１８に係る変更例と同様な係止等によるもの等とすることができる。
本発明は、インターホン子機等、インターホン親機１以外のインターホン機器に適用されても良い。尚、本発明に係る各孔の互い違いの配置等により、インターホン子機のように室外で使用されるもの等に対し、容易に防水性を具備させることができる。
【符号の説明】
【００１８】
１・・インターホン親機（インターホン機器）、６・・本体ケース、１６・・スピーカ、１８・・シート、２２・・ランプ部、２４・・シートスピーカ孔、３２・・ケーススピーカ孔、３６・・窪み部、３６ａ・・円状部（ケーススピーカ孔を囲む部分）、３６ｂ・・傾斜部。
【図１】
2019097074.tif 000003
【図２】
2019097074.tif 000004
【図３】
2019097074.tif 000005
【図４】
2019097074.tif 000006
【図５】
2019097074.tif 000007
【図６】
2019097074.tif 000008